(57)【要約】【課題】  本考案は、寝心地を向上させると共に、コンパクトに収納可能な寝具を提供することを課題とする。【解決手段】  複数の単位クッション体５０を有する敷き布団部３０を備え、この複数の単位クッション体５０は、頭足方向及び左右方向に配列された構成となっている。このように、敷き布団部３０に複数の単位クッション体５０を有することにより、寝心地を向上させると共に、コンパクトに収納可能な寝具１００とすることができる。【選択図】図１
0003220719.tif 000002
【実用新案登録請求の範囲】
【請求項１】
複数の単位クッション体を有する敷き布団部を備え、
前記単位クッション体は、頭足方向及び左右方向に配列されている、寝具。
【請求項２】
前記敷き布団部は、前記単位クッション体が配列されたクッション領域と、
前記単位クッション体が配列されないクッションレス領域と、を有する、請求項１に記載の寝具。
【請求項３】
前記単位クッション体は、ポリウレタンで形成されている、請求項１又は請求項２に記載の寝具。
【請求項４】
前記敷き布団部とセットで使用される掛け布団部と
前記敷き布団部と前記掛け布団部を接続可能な接続手段と、をさらに備え、
前記接続手段は、2組のファスナーであり、
前記ファスナーの開具は、使用者の足方向に位置する足辺に設けられている、請求項１〜３の何れかに記載の寝具。
【請求項５】
前記掛け布団部に装着される掛け用シーツと、
前記敷き布団部に装着される敷き用シーツと、をさらに備える、請求項４に記載の寝具。
【考案の詳細な説明】
【技術分野】
【０００１】
本考案は、寝具に関するものである。
【背景技術】
【０００２】
従来、使用者の寝やすさを向上するため、自宅にて使用する布団に似た構成の寝袋が提案されている。例えば、特許文献１には、「敷布団となる下部布団と掛け布団となる上部布団とが、頭部の位置する一側を除き連結され」た寝袋の技術が記載されている。
【先行技術文献】
【特許文献】
【０００３】
【特許文献１】特開２０１６−１６１３６号公報
【考案の概要】
【考案が解決しようとする課題】
【０００４】
本考案は、寝心地を向上させると共に、コンパクトに収納可能な寝具を提供することを課題とする。
【課題を解決するための手段】
【０００５】
上記課題を解決するため、本考案に係る寝具は、複数の単位クッション体を有する敷き布団部を備え、前記単位クッション体は、頭足方向及び左右方向に配列されている。
【０００６】
このように、敷き布団部に複数の単位クッション体が頭足方向及び左右方向に配列されていることにより、寝心地を向上させると共に、この敷き布団部をコンパクトに収納可能な寝具を提供することができる。すなわち、寝心地の良いクッション体を複数の単位クッション体に分割して配置したことにより、分割箇所で折りたたんでコンパクトに収納することできる。
【０００７】
この態様において、前記敷き布団部は、前記単位クッション体が配列されたクッション領域と、前記単位クッション体が配列されないクッションレス領域と、を有する。
このように、使用者を支持するクッション領域と、使用者の支持が必要ないクッションレス領域とを有することにより、クッションレス領域を薄く形成することでき、寝心地を向上させると共に、よりコンパクトに収納可能な寝具とすることができる。
【０００８】
この態様において、前記単位クッション体は、ポリウレタンで形成されている。
このように、単位クッション体がポリウレタンで形成されていることにより、寝心地を向上させることができる。
【０００９】
この態様において、前記敷き布団部とセットで使用される掛け布団部と、前記敷き布団部と前記掛け布団部を接続可能な接続手段と、をさらに備え、前記接続手段は、２組のファスナーであり、前記ファスナーの開具は、使用者の足方向に位置する足辺に設けられている。
このように、２組のファスナーの開具が、足辺に設けられていることにより、使用者は寝具に入った状態で容易に掛け布団部と敷き布団部を接続することができる。
【００１０】
この態様において、前記掛け布団部に装着される掛け用シーツと、前記敷き布団部に装着される敷き用シーツと、をさらに備える。
このように、掛け用シーツ及び敷き用シーツを備えることにより、掛け布団部と敷き布団部の汚れを防止すると共に、容易に洗濯することができ、清潔に寝具を使用することができる。
【考案の効果】
【００１１】
開示した技術によれば、寝心地を向上させると共に、コンパクトに収納可能な寝具を提供することができる。
【００１２】
他の課題、特徴及び利点は、図面及び実用新案登録請求の範囲とともに取り上げられる際に、以下に記載される考案を実施するための形態を読むことにより明らかになるであろう。
【図面の簡単な説明】
【００１３】
【図１】一実施形態に係る寝具の分解斜視図である。
【図２】一実施形態に係る寝具の外観斜視図である。
【図３】一実施形態に係る寝具の掛け布団部及び掛け用シーツの斜視図である。
【図４】一実施形態に係る寝具の敷き布団部及び敷き用シーツの斜視図である。
【図５】一実施形態に係る寝具の敷き布団部の枕収納部の説明図である。
【図６】一実施形態に係る寝具の接続手段の説明図である。
【考案を実施するための形態】
【００１４】
以下、本考案を、図面に示した好ましい一実施形態について、図１〜図６を用いて詳細に説明する。本考案の技術的範囲は、添付図面に示した実施形態に限定されるものではなく、実用新案登録請求の範囲に記載された範囲内において、適宜変更が可能である。
【００１５】
本考案の一実施形態に係る寝具１００は、掛け布団部１０と、この掛け布団部１０に装着される掛け用シーツ２０と、掛け布団部１０とセットで使用される敷き布団部３０と、この敷き布団部３０に装着される敷き用シーツ４０と、この敷き布団部３０に設けられる複数の単位クッション体５０と、掛け布団部１０と敷き布団部３０を接続可能な接続手段６０と、を備える。
【００１６】
図１は、掛け布団部１０，掛け用シーツ２０，敷き布団部３０，敷き用シーツ４０を分解した状態の寝具１００を示す分解斜視図である。図２は、掛け布団部１０，掛け用シーツ２０，敷き布団部３０，敷き用シーツ４０を組み合わせた状態の寝具１００を示す外観斜視図である。この掛け布団部１０と敷き布団部３０は、同様の外形寸法に設定されており、接続手段６０を用いて接続可能なよう構成されている。
【００１７】
図３は、掛け布団部１０と掛け用シーツ２０を示す斜視図である。
掛け布団部１０は、この寝具１００の使用者の頭方向に位置する頭辺１１と、使用者の足方向に位置する足辺１２と、使用者の左方向に位置する左辺１３と、使用者の右方向に位置する右辺１４と、敷き布団部３０に設けられた下接続手段６２と接続される上接続手段６１と、掛け用シーツ２０を固定するための固定手段１５と、を有している。
【００１８】
上接続手段６１は、足辺１２，左辺１３，右辺１４に設けられており、頭辺１１を除く辺が敷き布団部３０と接続可能なよう構成されている。すなわち、上接続手段６１と下接続手段６２を接続した際には、寝具１００が袋状になるよう構成されている。
なお、本実施形態においては、左辺１３及び右辺１４の形状が直線状に形成された長方形状となる寝具１００を例示したが、弧状に湾曲していても良いし、複数の辺で構成されていても良い。
【００１９】
固定手段１５（１５ａ〜１５ｊ）は、掛け用シーツ２０を固定可能な構成であればよく、慣用の手段を採用することができる。例えば、図３に示すような、固定用輪に固定片を結ぶ構成を採用しても良いし、マジックテープ（登録商標）やスナップボタン等を採用しても良い。
また、この固定手段１５は、例えば、掛け布団部１０又は掛け用シーツ２０の頂点箇所や各辺の中点箇所に設けられる。
【００２０】
なお、この掛け布団部１０の材料は、布団や寝袋に採用される慣用の材料であれば当然に採用することができる。例えば、生地としてポリエステルや綿等を採用することができ、中材として、ダウンやスモールフェザー、ポリエステル、ウール等を採用することができる。なお、この中材は、掛け布団部１０内で偏って配置されないよう、図３に示すように、生地内に幾つかの区画が形成され、その区画毎に中材が収容されていることが望ましい。
【００２１】
掛け用シーツ２０は、アッパーシーツタイプであり、図１に示すように、掛け布団部１０の頭辺１１箇所で折り返して固定される。この掛け用シーツ２０の生地としては、例えば、ポリエステルや綿等を採用することができる。
この掛け用シーツ２０は、掛け布団部１０の固定手段１５ａ〜１５ｊに対応する固定手段２１ａ〜２１ｊを有しており、アッパーシーツタイプに折り返して固定できるよう構成されている。
【００２２】
図４は、敷き布団部３０と敷き用シーツ４０を示す斜視図である。
敷き布団部３０は、掛け布団部１０と同様に、この寝具１００の使用者の頭方向に位置する頭辺３１と、使用者の足方向に位置する足辺３２と、使用者の左方向に位置する左辺３３と、使用者の右方向に位置する右辺３４と、掛け布団部１０に設けられた上接続手段６１と接続される下接続手段６２と、敷き用シーツ４０を固定するための固定手段３５と、を有している。
【００２３】
下接続手段６２は、上接続手段６１と同様に、足辺３２，左辺３３，右辺３４に設けられており、頭辺３１を除く辺が掛け布団部１０と接続可能なよう構成されている。そのため、この敷き布団部３０の外形は、掛け布団部１０の外形と同様の寸法に設定されている。なお、左辺３３及び右辺３４の形状が直線状に形成された長方形状となる寝具１００を例示したが、弧状に湾曲していても良いし、複数の辺で構成されていても良い。
【００２４】
固定手段３５（３５ａ〜３５ｈ）は、敷き用シーツ４０を固定可能な構成であればよく、慣用の手段を採用することができる。また、この固定手段３５は、例えば、敷き布団部３０又は敷き用シーツ４０の頂点箇所や各辺の中点箇所に設けられる。
【００２５】
なお、この敷き布団部３０の材質等は、布団や寝袋に採用される慣用の材料であれば当然に採用することができる。例えば、生地としては、ポリエステルや綿等を採用することができる。
【００２６】
また、この敷き布団部３０は、複数の単位クッション体５０と、この単位クッション体５０が敷き詰められたクッション領域ＣＡと、単位クッション体５０が配列されていないクッションレス領域ＮＡと、枕Ｐを収納可能な枕収納部３６と、をさらに有している。
【００２７】
単位クッション体５０は、ポリウレタンの硬質タイプや低反発タイプで形成されており、使用者の寝心地を向上させることができる。また、クッション体として利用される慣用の材料を採用しても良い。
この単位クッション体５０は、任意の大きさに設定することができる。例えば、本実施形態においては、長さ１０ｃｍ，幅４０ｃｍ，厚さ２ｃｍの単位クッション体５０を中心に配列し、その左右に長さ１０ｃｍ，幅１５ｃｍ，厚さ２ｃｍの単位クッション体５０を配列した例を示している。
【００２８】
この単位クッション体５０は、図１及び図４に示すように、頭足方向及び左右方向に配列して設けられている。すなわち、クッション体が四方に向かって分割されて配置されていることにより、分割箇所で屈曲させて敷き布団部３０を縦方向及び横方向に折り畳んでコンパクトに収納することができる。
【００２９】
また、隣り合う単位クッション体５０の間には、間隙が形成されていても良い。このように単位クッション体５０の間に間隙を形成することにより、敷き布団部３０を折り畳む際に、単位クッション体５０同士が干渉しないよう構成することができる。
【００３０】
クッション領域ＣＡは、単位クッション体５０が敷き詰められた領域であり、使用者である人間の背中を支持可能な大きさに設定されている。
【００３１】
クッションレス領域ＮＡは、単位クッション体５０が配列されていない領域であり、クッション領域ＣＡの左右に配置されている。このクッションレス領域ＮＡは、クッション領域ＣＡよりも薄肉に形成されており、敷き布団部３０を折りたたんだ際に、よりコンパクトになるよう構成されている。
また、このクッションレス領域ＮＡを薄肉に形成することにより、掛け布団部１０と敷き布団部３０を接続し袋状とした際に、使用者が寝返りを容易に打つことができ、寝心地を向上させることができる。すなわち、薄肉に形成されたクッションレス領域ＮＡは変形可能であるため、使用者の動きに合わせて掛け布団部１０が移動することで容易に寝返りを打つことができる。
例えば、クッションレス領域ＮＡは、生地のみで構成されている。
【００３２】
図５は、本実施形態に係る敷き布団部３０の枕収納部３６の説明図である。図５（ａ）は枕Ｐ挿入前の状態を示し、図５（ｂ）は枕Ｐ挿入後の状態を示している。この枕収納部３６は、枕Ｐを頭足方向へのズレを抑制可能なよう筒状や袋状に形成されている。
【００３３】
敷き用シーツ４０は、敷き布団部３０のクッション領域ＣＡを覆う大きさに設定されており、掛け用シーツ２０と同様に、ポリエステルや綿等の生地を採用することができる。
この敷き用シーツ４０には、敷き布団部３０の固定手段３５ａ〜３５ｈに対応する固定手段４１ａ〜４１ｈが設けられている。
【００３４】
図６は、本実施形態に係る接続手段６０の説明図である。図６（ａ）は、掛け布団部１０と敷き布団部３０を接続した様子を示す説明図である。図６（ｂ）は、図６（ａ）の領域Ａの拡大図でありファスナーの開具６４を接続した状態を示している。図６（ｃ）は、図６（ａ）の領域Ａの拡大図でありファスナーの開具６４を分離した状態を示している。
【００３５】
接続手段６０は、掛け布団部１０に設けられる上接続手段６１と、掛け布団部に設けられる下接続手段６２と、を有している。
この接続手段６０は、慣用の手段を採用することができるが、ファスナーを採用することが好ましい。
【００３６】
本実施形態に係るファスナー（接続手段６０）は、上エレメント（上接続手段６１）と、下エレメント（下接続手段６２）と、スライダー６３と、開具６４と、を有しており、このファスナーが２組設けられている。すなわち、主に左辺（１３，３３）を接続する左側のファスナー（６０ａ）と、主に右辺（１４，３４）を接続する右側のファスナー（６０ｂ）と、を有しており、これら２組のファスナーの開具（６４ａ，６４ｂ）は、足辺（１２，３２）に設けられている。
【００３７】
このように、足辺（１２，３２）に開具（６４ａ，６４ｂ）を設けることより、使用者が寝具１００に入った状態から容易に、掛け布団部１０と敷き布団部３０を接続することができる。
仮に、ファスナーを１組しか設けない場合には、掛け布団部１０と敷き布団部３０を完全に接続するためには、左辺（１３，３３）から足辺（１２，３２）、さらに右辺（１４，３４）へとスライダー６３を移動させなければならない。
一方、２組のファスナーを設け開具（６４ａ，６４ｂ）を足辺（１２，３２）に設ける場合には、寝具１００に入った状態からでも、足辺（１２，３２）から左右のスライダー６３を引き上げる動作で、掛け布団部１０と敷き布団部３０を完全に接続することができる。
【００３８】
本発明によれば、複数の単位クッション体５０を敷き布団部３０に設け、頭足方向及び左右方向に配列することにより、寝心地を向上させると共に、コンパクトに収納可能な寝具１００とすることができる。すなわち、単位クッション体５０同士の区切り箇所を容易に折り曲げることができ、縦方向及び横方向にコンパクトに折りたたむことができる。
【００３９】
また、本実施形態によれば、敷き布団部３０は、単位クッション体５０が配列されたクッション領域ＣＡと、単位クッション体５０が配列されないクッションレス領域ＮＡと、を有することにより、敷き布団部３０の寝心地を向上させつつ、コンパクトに収納することができる。すなわち、使用者の体重を支える部分には単位クッション体５０を配置し、それ以外の領域には単位クッション体５０を配置しないことにより、コンパクトに収納することができる。また、このクッションレス領域ＮＡを薄肉に形成することにより、自宅にて使用する布団と同様に、使用者が寝返りを容易に打つことができ、寝心地を向上させることができる。
【符号の説明】
【００４０】
１０  掛け布団部
２０  掛け用シーツ
３０  敷き布団部
４０  敷き用シーツ
５０  単位クッション体
６０  接続手段
ＣＡ  クッション領域
ＮＡ  クッションレス領域
【図１】
0003220719.tif 000003
【図２】
0003220719.tif 000004
【図３】
0003220719.tif 000005
【図４】
0003220719.tif 000006
【図５】
0003220719.tif 000007
【図６】
0003220719.tif 000008